(57)【要約】【課題】待機電力削減のために貯湯タンクユニット側にてヒートポンプユニットの電源を遮断するようにした場合、外気温度の情報を取得することが出来ず、ヒートポンプユニットを運転しない場合に水配管が凍結する可能性があるという課題があった。【解決手段】ヒートポンプユニットの運転中に、一定時間間隔で外気温度をサンプリングした平均値を記憶し、貯湯タンクユニットが有している第２の電子制御装置で外気温度を推定することで、ヒートポンプユニットへの不必要な電源を遮断でき、待機電力の削減を行うことが可能となる。【選択図】図２
2009014216.tif 000002
【特許請求の範囲】
【請求項１】
圧縮機、給湯用熱交換器、膨張弁、蒸発器、外気温度センサおよび前記圧縮機や前記膨張弁などを制御する第１の電子制御装置を有しているヒートポンプユニットと、貯湯槽、流体循環ポンプ、前記給湯用熱交換器および前記流体循環ポンプなどを制御する第２の電子制御装置を有した貯湯タンクユニットからなり、前記ヒートポンプユニットの電源は前記貯湯タンクユニットを介して供給されるヒートポンプ給湯装置において、ヒートポンプユニットの運転中に、一定時間間隔で外気温度をサンプリングした平均値を第２の電子制御装置で記憶し記憶し、ヒートポンプへの電源遮断後に前記貯湯タンクユニットが有している第２の電子制御装置で外気温度を推定することを特徴とするヒートポンプ給湯装置。
【発明の詳細な説明】
【技術分野】
【０００１】
本発明は、ヒートポンプ給湯装置に係り、外気温度の推定方法に関する。
【背景技術】
【０００２】
従来の技術では、ヒートポンプユニットへの電源は常時供給されており、そのため外気温度はヒートポンプが有している電子制御装置から貯湯タンクユニットへ常時情報送信することが可能であった。（例えば、特許文献１参照）。
【０００３】
図４は従来の運転制御の構成図、図３はその動作フローチャートであり、ヒートポンプユニットの電子制御装置３０に電源が投入されると、ヒートポンプユニットへの電源を遮断されないかぎり、外気温度情報を取得することが可能となる構成になっている。
【特許文献１】特開２００３−２２２４１３号公報
【発明の開示】
【発明が解決しようとする課題】
【０００４】
しかしながら、前記従来の構成では、貯湯タンクユニット側にてヒートポンプユニットの電源を遮断した場合、外気温度の情報を取得する手段がなくなり、外気温度が低い場合は水配管が凍結する可能性があるという課題があった。本発明は、上記従来の課題を解決するもので、ヒートポンプユニットヒートポンプユニットの運転中に、一定時間間隔で外気温度をサンプリングした平均値を記憶し、貯湯タンクユニットが有している第２の電子制御装置で外気温度を推定することで、不必要なヒートポンプユニットへの電源を遮断することを可能とし、待機電力の削減を目的とする。
【課題を解決するための手段】
【０００５】
前記従来の課題を解決するために、本発明のヒートポンプユニット式給湯装置は、圧縮機、給湯用熱交換器、膨張弁、蒸発器、外気温度センサおよび圧縮機や膨張弁などを制御する電子制御装置を有しているヒートポンプユニットと、貯湯槽、流体循環ポンプ、給湯用熱交換器および流体循環ポンプなどを制御する電子制御装置を有した貯湯タンクユニットからなり、ヒートポンプユニットの電源は貯湯タンクユニットを介して供給されるヒートポンプ給湯装置において、ヒートポンプユニットの運転中に、一定時間間隔で外気温度をサンプリングした平均値を記憶し、前記貯湯タンクユニットが有している第２の電子制御装置で外気温度を推定するものである。
【０００６】
これによって、不必要なヒートポンプユニットへの電源を遮断することが可能となり、待機電力を削減することができる。
【発明の効果】
【０００７】
本発明のヒートポンプユニット式給湯装置は、貯湯タンクユニットの電子制御装置のみで外気温度を推定することにより、ヒートポンプユニットへの不必要な電源を遮断でき、待機電力の削減を行なうことが出来る。
【発明を実施するための最良の形態】
【０００８】
第１の発明は、圧縮機、給湯用熱交換器、膨張弁、蒸発器、外気温度センサおよび前記圧縮機や前記膨張弁などを制御する電子制御装置を有しているヒートポンプユニットと、貯湯槽、流体循環ポンプ、前記給湯用熱交換器および前記流体循環ポンプなどを制御する電子制御装置を有した貯湯タンクユニットからなり、前記ヒートポンプユニットの電源は前記貯湯タンクユニットを介して供給されるヒートポンプ給湯装置において、ヒートポン
プユニットの運転中に、一定時間間隔で外気温度をサンプリングした平均値を記憶し、前記貯湯タンクユニットが有している第２の電子制御装置で外気温度を推定することで、ヒートポンプユニットへの不必要な電源を遮断でき、待機電力の削減を行うことが可能となる。
【０００９】
（実施の形態１）
図１および図２は本発明の実施の形態１におけるヒートポンプ給湯装置と運転制御を示したものである。
【００１０】
図１において、ヒートポンプ給湯装置は、インバータ式圧縮機１１、給湯用熱交換器１２、減圧装置１３、蒸発器１４を冷媒配管１５により環状に接続して構成されたヒートポンプユニットサイクルと、給湯用の液体を蓄える貯湯槽１６と、前記貯湯槽内の液体が前記給湯装置を介し循環できる液体配管１８と、前記液体配管に貯湯槽内の液体を流通させる流体循環ポンプ１７と、ＡＣ電源３２から電源供給を受けるタンクの電子制御装置３１と、前記タンクの電子制御装置から電源線３４を介して電源供給を受けるヒートポンプユニットの電子制御装置３０と、前期電子制御装置３０につながっている外気温度センサ３３より外気温度情報を取得することができる。
【００１１】
次に本実施の形態の作用を説明する。図２は、図１の構成によりヒートポンプユニットの電子制御装置３０に電源供給されている場合に外気温度検知４１により外気温度センサ３３の値を検知する。その値を貯湯タンクユニット側では外気温度情報取得４４により外気温度の値を取得し、一定時間間隔でサンプリングした外気温度センサ３３の値の平均値を貯湯タンクユニット側の外気温度平均値記憶手段４８で記憶する。その後、ヒートポンプユニットへの電源供給を遮断した後、貯湯ユニットの電子制御装置３１は、外気温度情報取得４４ではなく、外気温度平均値記憶手段４８をもとに外気温度情報推定４７により外気温度を推定する。外気の推定温度値が低い場合は、運転指示作成４５によりヒートポンプユニットへの運転指示を行い、ヒートポンプユニットを運転させることで水配管の凍結を防止することが可能となる。したがって、水配管が凍結するなどのヒートポンプ給湯装置としての機能を損なうことなく不必要な電源供給をなくすことで待機電力の削減が可能となる。
【図面の簡単な説明】
【００１２】
【図１】本発明の実施の形態１におけるシステムの構成ブロック図
【図２】本発明の実施の形態１におけるアルゴリズムのフローチャート
【図３】従来のシステムの構成ブロック図
【図４】従来のアルゴリズムのフローチャート
【符号の説明】
【００１３】
１１  インバータ式圧縮機
１２  給湯熱交換器
１３  減圧装置（電磁膨張弁）
１４  蒸発器  
１５  冷媒配管
１６  貯湯槽
１７  流体循環ポンプ
１８  液体配管
１９  ファン
２０  ファンモータ
３０  ヒートポンプユニットの電子制御装置
３１  タンクの電子制御装置
３２  ＡＣ電源
３３  外気温度センサ
３４  電源供給線
【図１】
2009014216.tif 000003
【図２】
2009014216.tif 000004
【図３】
2009014216.tif 000005
【図４】
2009014216.tif 000006